(57)【要約】【課題】  集合住宅における既存の排水設備の排水能力不足が予測される場合に、新たな排水設備を容易に増設できるようにすることを目的とする。【解決手段】  本発明に係る排水設備１０は、圧送される排水を流せるように構成されており、集合住宅Ｍの外壁Ｍｓに沿って高さ方向に配管可能な強制排水専用の排水立て管１１と、集合住宅Ｍの各階において衛生器具から圧送される排水を排水立て管１１まで導く強制排水専用の排水横枝管１２と、屋外で上階の排水立て管１１と上階の排水横枝管１２とを下階の排水立て管１１に接続する排水管継手２０とを有する。【選択図】        図１
2006241933.tif 000002
【特許請求の範囲】
【請求項１】
圧送される排水を流せるように構成されており、集合住宅の外壁に沿って高さ方向に配管可能な強制排水専用の排水立て管と、
前記集合住宅の各階において衛生器具から圧送される排水を前記排水立て管まで導く強制排水専用の排水横枝管と、
屋外で上階の前記排水立て管と上階の前記排水横枝管とを下階の前記排水立て管に接続する排水管継手とを有することを特徴とする排水設備。
【請求項２】
請求項１に記載された排水設備であって、
集合住宅の最上部には、排水立て管に対して洗浄水を圧送するための洗浄装置が設置されていることを特徴とする排水設備。
【請求項３】
請求項１又は請求項２のいずれかに記載された排水設備であって、
各々の衛生器具と排水立て管との間、及び洗浄装置と排水立て管との間には、排水の逆流を防止するための逆止弁が設置されていることを特徴とする排水設備。
【請求項４】
請求項２又は請求項３のいずれかに記載された排水設備であって、
洗浄装置には、一定時間間隔で洗浄水を排水立て管に対して圧送するためのタイマ機構が設けられていることを特徴とする排水設備。
【請求項５】
請求項１から請求項４のいずれかに記載された排水設備であって、
排水立て管には、集合住宅の共用部から洗浄ノズルをその排水立て管まで導くための掃除管が接続されていることを特徴とする排水設備。
【請求項６】
請求項１から請求項４のいずれかに記載された排水設備であって、
排水管継手には、洗浄ノズルを排水立て管に挿入するための掃除口が形成されていることを特徴とする排水設備。
【請求項７】
請求項１から請求項６のいずれかに記載された排水設備であって、
排水立て管及び排水横枝管は、湾曲可能な材料により構成されていることを特徴とする排水設備。
【請求項８】
請求項１から請求項７のいずれかに記載された排水設備であって、
排水管継手は、上階の排水立て管から流下する排水に対して排水横枝管から流入する排水を斜め方向から合流させることができるように構成されていることを特徴とする排水設備。
【発明の詳細な説明】
【技術分野】
【０００１】
本発明は、集合住宅の排水設備に関する。
【背景技術】
【０００２】
上記した排水設備としては種々のものが提案されている。
例えば、特許文献１に記載の排水設備１００は、集合住宅の排水を重力により集合住宅外の所定位置まで搬送するための設備である。排水設備１００は、図４に示すように、集合住宅の上階と下階とを仕切るコンクリートスラブＣｓの貫通孔Ｃｈに通される排水管継手１０３を備えている。排水管継手１０３は、胴部１０４の上端に上部受け口１０４ｕ、下端に下側接続部１０４ｄが形成されており、その胴部１０４の側面に複数の横枝管受け口１０４ｓが形成されている。排水管継手１０３の上部受け口１０４ｕには、上階の排水立て管１１０の下端部が挿入接続されている。また、排水管継手１０３の複数の横枝管受け口１０４ｓには、上階の台所流し台や洗面具等の衛生器具（図示省略）からの排水を導く排水横枝管１１２がそれぞれ挿入接続されている。さらに、排水管継手１０３の下側接続部１０４ｄには、下階の排水立て管１１０の上端部が挿入接続されている。
上記構成により、各階の排水が重力により排水横枝管１１２、排水管継手１０３を介して排水立て管１１０内に流れ込み、その排水立て管１１０内を流下しながら集合住宅外の所定位置まで搬送される。
【０００３】
【特許文献１】特開平１０−２３８６６３号
【発明の開示】
【発明が解決しようとする課題】
【０００４】
一般的に、排水設備の排水能力は、集合住宅の建設時に、その集合住宅の階数や、各階における衛生器具の台数、及び衛生器具の種類等に基づいて設計されている。
しかし、集合住宅に居住する住人のライフスタイルの変化により、例えば、ポータブルトイレ等の動力排水管を増設する必要性が生じる場合がある。この場合、現状の排水設備の排水能力に余裕があれば特に問題は生じないが、衛生器具の増設により前記排水設備の能力が不足すると、排水障害等の種々の問題が発生する。
このような問題を考慮して、既存の排水設備と並列に新たな排水設備を増設することも考えられる。しかし、上階と下階とを仕切るコンクリートスラブＣｓに貫通孔Ｃｈを開けて排水管継手１０３を通す現状の施工方法では非常にコスト高になる。また、排水横枝管１１２を所定勾配で配管するためのスペースを確保するのも難しい。
【０００５】
本発明は、上記問題点を解決するためになされたものであり、本発明が解決しようとする課題は、集合住宅における既存の排水設備の排水能力不足が予測される場合に、新たな排水設備を容易に増設できるようにすることである。
【課題を解決するための手段】
【０００６】
上記した課題は、各請求項の発明によって解決される。
請求項１の発明は、圧送される排水を流せるように構成されており、集合住宅の外壁に沿って高さ方向に配管可能な強制排水専用の排水立て管と、前記集合住宅の各階において衛生器具から圧送される排水を前記排水立て管まで導く強制排水専用の排水横枝管と、屋外で上階の前記排水立て管と上階の前記排水横枝管とを下階の前記排水立て管に接続する排水管継手とを有することを特徴とする。
【０００７】
本発明によると、排水立て管を集合住宅の外壁に沿って配管できるため、コンクリートスラブＣＳに貫通孔Ｃｈを開ける必要がない。また、排水立て管は強制排水専用の配管であるため、重力排水用の排水立て管のように直線的に配管する必要がなく、例えば、障害物を避けるために曲げることも可能である。このため、排水立て管の配管作業が容易になる。
さらに、排水横枝管は強制排水専用の配管であるため、重力排水用の排水横枝管のように勾配をほぼ一定に保持する必要がない。このため、新たな排水横枝管の配管ルートを自由に設定できるとともに、勾配を考える必要がないため、排水横枝管の配管作業が容易になる。
このように、排水立て管及び排水横枝管の配管が容易になるため、新たな排水設備の増設が容易になる。
【０００８】
請求項２の発明によると、集合住宅の最上部には、排水立て管に対して洗浄水を圧送（放水）するための洗浄装置が設置されていることを特徴とする。
このため、排水立て管内を洗浄水で洗浄することが可能になり、排水立て管の詰まりを予防できる。
請求項３の発明によると、各々の衛生器具と排水立て管との間、及び洗浄装置と排水立て管との間には、排水の逆流を防止するための逆止弁が設置されていることを特徴とする。
このため、各々の衛生器具側及び洗浄装置側に排水が逆流することがなく、各々の衛生器具や洗浄装置のメンテナンスを希望する時期に実施できる。
【０００９】
請求項４の発明によると、洗浄装置には、一定時間間隔で洗浄水を排水立て管に対して圧送するためのタイマ機構が設けられていることを特徴とする。
このため、排水立て管内を洗浄水により定期的に洗浄できるようになる。
請求項５の発明によると、排水立て管には集合住宅の共用部から洗浄ノズルをその排水立て管まで導くための掃除管が接続されていることを特徴とする。
このため、洗浄ノズルを集合住宅の共用部側から排水立て管内に送り込んでその排水立て管の洗浄を行えるようになる。
【００１０】
請求項６の発明によると、排水管継手には、洗浄ノズルを排水立て管に挿入するための掃除口が形成されていることを特徴とする。
このため、洗浄ノズルを排水管継手の位置で排水立て管内に送り込んでその排水立て管の洗浄を行えるようになる。
請求項７の発明によると、排水立て管及び排水横枝管は、湾曲可能な材料により構成されていることを特徴とする。
このため、障害物を回避しながらの配管作業が容易になる。
請求項８の発明によると、排水管継手は、上階の排水立て管から流下する排水に対して排水横枝管から流入する排水を斜め方向から合流させることができるように構成されていることを特徴とする。
このため、流下する排水に対して横方向からの排水がスムーズに合流できるようになる。
【発明の効果】
【００１１】
本発明によると、集合住宅における既存の排水設備の排水能力不足が予測される場合に、新たな排水設備を容易に増設できるようになる。
【発明を実施するための最良の形態】
【００１２】
［実施形態１］
以下、図１から図３に基づいて本発明の実施形態１に係る排水設備の説明を行う。本実施形態に係る排水設備は、集合住宅に増設される排水設備であり、図１にその全体模式図が示されている。また、図２は図１におけるII部拡大側面図であり、図３は前記排水設備の変更例を表す全体模式図である。
ここで、図１において右側に示された排水設備１００は、既存の排水設備であり、集合住宅Ｍの共用部Ｃに設置されている。前記排水設備１００は、図４に基づいて説明した従来の排水設備と基本構成が等しいため、同一番号を付して説明を省略する。
【００１３】
本実施形態に係る排水設備１０は、ポンプＰにより圧送された排水を流すことができるように構成された強制排水設備であり、図１、図２に示すように、排水立て管１１と排水横枝管１２と排水管継手２０とを備えている。
排水立て管１１は、集合住宅Ｍの建物外壁Ｍｓに沿って高さ方向に延びる配管であり、各階の排水横枝管１２により導かれた排水を地下排水槽１５まで導く働きをする。排水立て管１１には、一般的に呼び径65A〜80Aと小径の硬質塩化ビニル管や鋳鉄管等が使用されるが、可撓性を有する樹脂管等を使用することも可能である。排水立て管１１は、集合住宅Ｍの各階の高さ寸法にほぼ等しい長さ寸法を備えており、各階の排水立て管１１が後記する排水管継手２０によって互いに接続されている。
【００１４】
排水立て管１１は、図２に示すように、立て管取付け部材３０によって集合住宅Ｍの建物外壁Ｍｓに取付けられている。立て管取付け部材３０は、排水立て管１１の外周面を一定幅及び一定厚みで覆う一対の防振ゴム３１と、その防振ゴム３１を介して排水立て管１１を周囲から締付ける一対の締付けバンド３２と、その締付けバンド３２を建物外壁Ｍｓに固定する一対の支持架台３３とから構成されている。
防振ゴム３１は、例えば、防滑条付半割リング形に形成されており、二個一組で使用される。
【００１５】
排水横枝管１２は、集合住宅Ｍの各階に増設された動力排水式の衛生器具、例えば、流し台４、洗面台５、ポータブルトイレ７等からポンプＰで圧送された排水を排水立て管１１まで導く配管であり、一般的に、20A〜25Aの硬質塩化ビニル管や可撓性を有する樹脂管が使用される。排水横枝管１２の下流側端部は、図２に示すように、集合住宅Ｍの側壁貫通孔Ｍｋに通された状態で屋外に突出しており、その下流側端部の突出端が排水管継手２０の横枝管受け口２５に接続されている。ここで、側壁貫通孔Ｍｋの孔径は直径40mm〜直径50mmと小径で足りる。
集合住宅Ｍの側壁貫通孔Ｍｋは、排水横枝管１２が通された後、モルタルＭｘが充填される。さらに、モルタルＭｘが充填された後、本実施形態では、側壁貫通孔Ｍｋ及びその周縁の建物外壁Ｍｓには円盤状の防水板３５が被せられる。即ち、防水板３５の中央短管３５ｃに対して排水横枝管１２の下流側端部が通された状態で、両者１２，３５ｃが接着剤で接着固定されるとともに、その防水板３５の裏面と建物外壁Ｍｓとの間にコーキング剤３７が充填される。これによって、集合住宅Ｍの側壁貫通孔Ｍｋは防水板２０によって完全に防水された状態で塞がれるようになる。
【００１６】
排水管継手２０は、図２に示すように、胴部２１を備えており、その胴部２１の上下両端に排水立て管１１が嵌め込まれる上部受け口２２と下部受け口２３とが形成されている。また、胴部２１の側面には、その胴部２１の軸心に対して約45°傾斜した状態で管状の側管部２４が形成されている。側管部２４は、先端近傍が胴部２１の軸心に対してほぼ直角なるように曲げられており、その側管部２４の先端に排水横枝管１２が嵌め込まれる横枝管受け口２５が形成されている。
排水管継手２０の上部受け口２２、下部受け口２３及び横枝管受け口２５には、それぞれ上階、下階の排水立て管１１の端部及び排水横枝管１２の端部が嵌め込まれた状態で一般的に接着剤あるいは融着により固定される。
なお、排水管継手２０の上部受け口２２、下部受け口２３及び横枝管受け口２５にシール材を内装し、各々の受け口２２,２３,２５と各配管１１,１２とを前記シール材を介して水密に接続することも可能である。また、排水管継手２０は、複数本の排水横枝管１２が接続可能なように構成されたいわゆる排水集合管継手であっても良い。
【００１７】
集合住宅Ｍの屋上には、図１に示すように、排水立て管１１の最上部からその排水立て管１１内に洗浄水を圧送可能に構成された洗浄装置４０が設置されている。洗浄装置４０は、洗浄水を貯留する水槽４２と圧送ポンプ４４とを備えており、水槽４２と圧送ポンプ４４と間に電磁弁４５が設置されている。圧送ポンプ４４には、排水横枝管１２に相当する仕様の洗浄配管４１の基端部が接続されており、その洗浄配管４１の先端部が排水管継手２０を介して排水立て管１１に接続されている。圧送ポンプ４４と電磁弁４５とは制御盤（図示省略）からの電気信号で遠隔操作される構成であり、電磁弁４５が開状態で圧送ポンプ４４が動作することにより、洗浄配管４１から排水立て管１１内に洗浄水が圧送される。これによって、排水立て管１１内の洗浄が行われ、洗浄後の洗浄水は地下排水槽１５に排出される。
【００１８】
洗浄装置４０の前記制御盤にはタイマ回路が内蔵されており、そのタイマ回路の働きで電磁弁４５及び圧送ポンプ４４は一定時間間隔で動作させられる。このため、定期的に排水立て管１１の洗浄が行われるようになり、その排水立て管１１の詰まりを予防できる。
また、排水立て管１１には、洗浄配管４１が接続される排水管継手２０の下側位置に逆止弁１１ｘが取付けられている。これによって、排水が洗浄装置４０側に逆流することがない。
前記排水立て管１１内を流下する排水及び洗浄水は、地下排水槽１５に溜められた後、排水ポンプ４６によって排水横主管１６に送り出され、その排水横主管１６によって所定位置まで搬送される。ここで、地下排水槽１５は、排水をそのまま貯留するものであっても良いし、排水処理を行えるものであっても良い。
【００１９】
排水設備１０の各階に設けられた排水横枝管１２の端部（上流端）は、必ずしも衛生器具に接続しておく必要はなく、例えば、図１の最上階に示すように、フランジ１２ｆで閉鎖しておいても良い。さらに、前記最上階の下階に示すように、排水横枝管１２の端部を室内ポンプ１２ｐに接続し、その室内ポンプ１２ｐの入り側に排水用接続口１２ｃ（排水コンセント１２ｃ）を設けることも可能である。
さらに、３階から４階に一ヶ所づつ洗浄ノズル（図示省略）を共用部Ｃから排水立て管１１まで導くための掃除管４８を設けるのが好ましい。掃除管４８は、排水横枝管１２よりも大径の配管であり、排水管継手２０の横枝管受け口２５に接続されることで、前記洗浄ノズルを排水立て管１１まで導けるようになっている。なお、排水設備１０の使用時には、掃除管４８の掃除口（洗浄ノズルの挿入口）はフランジ４８ｆで閉鎖されている。
また、３階から４階に一ヶ所づつ洗浄ノズル（図示省略）の挿入口を備える排水管継手５０を設けることも可能である。
【００２０】
上記したように、本実施形態に係る排水設備１０では、排水立て管１１を集合住宅Ｍの建物外壁Ｍｓに沿って配管できるため、コンクリートスラブＣＳに、例えば、100A用スリーブ径175mmと大径の貫通孔Ｃｈを開ける必要がない。また、排水立て管１１は強制排水専用の配管であるため、重力排水用の排水立て管のように直線的に配管する必要がなく、例えば、障害物を避けるために曲げることも可能である。このため、排水立て管の配管作業が容易になる。さらに、集合住宅Ｍｓの住人の生活にほとんど影響を与えることなく配管作業を実施できるようになる。
また、排水横枝管１２は強制排水専用の配管であるため、重力排水用の排水横枝管のように勾配をほぼ一定に保持する必要がない。このため、新たな排水横枝管の配管ルートを自由に設定できるとともに、勾配を考える必要がないため、排水横枝管の配管作業が容易になる。
このように、排水立て管１１及び排水横枝管１２の配管が容易になるため、新たな排水設備１０の増設が容易になる。
【００２１】
また、集合住宅Ｍの屋上には、排水立て管１１に対して洗浄水を圧送するための洗浄装置４０が設置されているため、排水立て管１１内を洗浄水で洗浄することが可能になり、排水立て管１１の詰まりを予防できる。さらに、洗浄装置４０には、一定時間間隔で洗浄水を排水立て管１１に対して圧送するためのタイマ回路が設けられているため、排水立て管１１内を定期的に洗浄できるようになる。
また、排水立て管１１には集合住宅の共用部Ｃから洗浄ノズルをその排水立て管１１まで導くための掃除管４８が接続されているため、洗浄ノズルを集合住宅Ｍの共用部Ｃ側から排水立て管１１内に送り込んでその排水立て管１１の洗浄を行えるようになる。
【００２２】
また、排水管継手５０には、洗浄ノズルを排水立て管１１に挿入するための掃除口が形成されているため、洗浄ノズルを排水管継手５０の位置で排水立て管１１内に送り込んでその排水立て管１１の洗浄を行うことも可能である。
また、排水管継手２０は、上階の排水立て管１１から流下する排水に対して排水横枝管１２から流入する排水を斜め方向から合流させられるように構成されているため、流下する排水に対して横方向からの排水がスムーズに合流できるようになる。ここで、図２に示す排水管継手２０はいわゆる90°大曲りＹ（ＴＹ）であるが、いわゆる90°Ｙ（ＳＴ）を使用することも可能である。
なお、本実施形態に係る排水設備１０では、地下排水槽１５を設ける例を示したが、地下排水槽１５の代わりに、図３に示すように、エルボ５６を設けることも可能である。この場合、排水横主管１６内に固形物が堆積しないように、エルボ５６の底部に洗浄水を圧入可能な洗浄配管５７が接続される。前記洗浄配管５７は、前述の集合住宅Ｍの屋上に設置された洗浄装置４０と同様な構成の洗浄装置（図示省略）に接続されている。
【００２３】
また、図３に示すように、各々の排水横枝管１２に逆止弁１２ｘを設けることも可能である。これによって、各々の衛生器具側に排水が逆流することがなく、各々の衛生器具のメンテナンスを希望する時期に実施できる。
なお、本実施形態に係る排水設備１０では、硬質塩化ビニル製の排水立て管１１及び排水横枝管１２を使用する例を図示したが、排水立て管１１及び排水横枝管１２を湾曲可能な各種材料により構成することで、障害物を回避しながらの配管作業が容易になる。
また、本実施形態では、排水横枝管１２を側壁貫通孔Ｍｋから直線状に突出させて排水管継手２０に接続する例を示したが、側壁貫通孔Ｍｋから出た排水横枝管１２を横に曲げた後、排水管継手２０に接続することも可能である。このようにすることで、排水管継手２０及び排水立て管１１と集合住宅Ｍの建物外壁Ｍｓとの間隔を狭めることができる。
さらに、本発明は、マンションの改修やコンバージョン（オフィスビルを住宅に転用したり、住宅をオフィスビルに転用）の場合等、ビル相互間の狭空間における排水設備の増設に利用効果が大きい。なお、共用部パイプシャフト内に本発明に係る排水立て管１１を設備可能なスペースがあれば、前記パイプシャフト内に排水立て管１１を設けても良い。
【図面の簡単な説明】
【００２４】
【図１】本発明の実施形態１に係る排水設備の全体模式図である。
【図２】図１におけるII部拡大側面図である。
【図３】排水設備の変更例を表す全体模式図である。
【図４】従来の排水設備を表す側面図である。
【符号の説明】
【００２５】
１１      排水立て管
１１ｘ    逆止弁
１２      排水横枝管
１２ｘ    逆止弁
２０      排水管継手
４０      洗浄装置
４８      掃除管
５０      排水管継手
【図１】
2006241933.tif 000003
【図２】
2006241933.tif 000004
【図３】
2006241933.tif 000005
【図４】
2006241933.tif 000006